(57)【要約】本発明は、起立した姿勢の扁平な送付物のためのスタック棚であって、スタッキング底部（７）と、該スタッキング底部（７）に対してほぼ垂直なスタッキング壁（６）とが設けられており、該スタッキング壁（６）に、当該スタック棚（５）内の送付物（１）が接触しており、さらに、ほぼ水平なスタッキング方向でスタッキング壁（６）に沿って摺動可能な、スタック（１１）を保持するスタック支持部（８）が設けられている形式のスタック棚に関する。スタック支持部（８）は、当該スタック棚（５）の終端部で、下方へスタッキング底部平面内に旋回可能であり、この場合、スタッキング底部（７）は、少なくとも部分的に成形されて構成されている。上方へ移動させられた状態でスタッキング底部（７）上を滑る面で、スタック支持部（８）は底部成形部に噛み合うように構成されている。
2005529041.tif 000002
【特許請求の範囲】
【請求項１】
起立した姿勢の扁平な送付物のためのスタック棚であって、スタッキング底部（７）と、該スタッキング底部（７）に対して垂直なスタッキング壁（６）とが設けられており、該スタッキング壁（６）に、当該スタック棚（５）内の送付物（１）が接触しており、さらに、ほぼ水平なスタッキング方向でスタッキング壁（６）に沿って摺動可能な、スタック（１１）を保持するスタック支持部（８）が設けられており、スタッキング底部（７）が、少なくとも部分的に底部成形部を備えており、スタック支持部（８）が、スタッキング底部（７）上を滑る面で、底部成形部に噛み合うように構成されている形式のものにおいて、
スタック支持部（８）が、当該スタック棚（５）の終端部で、下方へスタッキング底部（７）の平面内に旋回可能であり、この結果、スタック支持部（８）が、スタッキング底部（７）の下流側の終端縁部と、スタッキング底部（７）に下流側で続いている、スタック（１１）用の載置面（１２）の上流側の縁部との間のギャップを架橋していることを特徴とする、扁平な送付物のためのスタック棚。
【請求項２】
スタック支持部（８）が、当該スタック棚（５）の終端部で、下方へスタッキング底部（７）の平面内にスタッキング方向で旋回可能である、請求項１記載のスタック棚。
【請求項３】
旋回可能なスタック支持部（８）が、スタッキング底部（７）に向かって鉛直に移動可能であって、上方の縁部に、下方へ移動させられた状態でスタッキング底部（７）に対してほぼ平行に向けられた部分（９）を有しており、該部分（９）が、スタッキング底部（７）と後続の載置面（１２）との間のギャップを架橋するためのものであり、スタッキング底部（７）の、スタッキング方向に存在する終端縁部（１５）も、成形されて構成されており、スタック支持部（８）の、鉛直な移動に際してスタッキング底部（７）の成形された終端縁部（１５）に向けられた面（１６）が、下方への移動に際してスタッキング底部（７）の成形された終端縁部（１５）に噛み合うように成形されている、請求項１記載のスタック棚。
【請求項４】
スタック支持部（８）が、鉛直な移動のために、スタッキング底部（７）の平面内でスタッキング方向に対して垂直に旋回可能である、請求項３記載のスタック棚。
【請求項５】
スタッキング底部（７）が鋸歯成形部を有しており、急勾配の側面がスタッキング壁（６）に向けられている、請求項１記載のスタック棚。
【請求項６】
スタック支持部（８）の、スタッキング底部（７）に対してほぼ並行に向けられた部分（９）の表面上を、スタック（１１）の送付物（１）が滑るようになっており、スタック支持部（８）の前記部分（９）の前記表面が、スタッキング底部（７）と同じ表面成形部を有している、請求項３記載のスタック棚。
【発明の詳細な説明】
【技術分野】
【０００１】
本発明は、請求項１の上位概念部に記載した形式の、扁平な送付物のためのスタック棚に関する。
【０００２】
相応の複数のスタック棚が設けられていて、このスタック棚内に送付物が区分けされる（ソートされる）ようになっている、扁平な送付物のための区分け設備の送付物排出（Entleerung）は、目下、依然として頻繁に手で行われる。すなわち、区分けされた送付物スタックは、区分け設備から郵便コンテナ内に手で積み替えられる。送付物はそれぞれスタック棚内にスタッキング機構で誘導される。
【０００３】
スタック棚内には、直線状に案内されたスタック支持部が配置されている。このスタック支持部はスタック端部を案内し、スタックの傾倒を防止する。手動の送付物排出のために、前記スタック支持部はスタックから上方へ回転するように外方へ旋回させられ、さらに、前方でスタッキング箇所の近くでかまたはスタッキング箇所において再びスタック内に沈降させられる。この場合、スタック支持部は、支持および切離する機能（分離刃）を有している。これにより切離された部分は、手でスタック棚から取り出されることができる。この場合、手で取扱い可能な量またはスタック長さしか取り出されて搬送コンテナ内に積み替えられることができない。したがって、操作力を有する手先の器用さに応じて、単数または複数の介入とこの介入に伴う操作時間とが、棚からの送付物排出に必要となる。
【０００４】
現代の手紙区分け設備は、今日既に、１時間当たり約４５０００通の送付物（２００ｍｍの長さの送付物）に至るまでの平均的なピーク流量を達成している。未来のハイエンドソータ（価格・性能が最高のソータ）は、さらに高い流量を有するであろう。したがって、スタック棚からの送付物排出は、手動の操作に際してより多くの操作力を必要とする（不経済）かまたは、自動化された運転中に、搬送コンテナ内に送付物を排出するための、付加的な半自動式または全自動式の補助装置を必要とする。
【０００５】
部分自動化または全自動化されたシステムは、もっぱら手動の送付物排出ができるように設計されたスタック棚の適合を必要とする。単純な幾何学的形状を備えていて上方へ旋回可能な、従来使用されているスタック支持部（分離刃）は、この支持部の、外方への旋回に際して、支持部と送付物スタックとの間の摩擦に基づき送付物をスタックから引き出し、ひいては機能故障を生ぜしめるという決定的な欠点を有している。したがって、同じ機能を繰り返し遂行する、全自動化されたプロセスには、ひどく故障が付きまとう。
【０００６】
日本国特開平９−０８６７７１号公報には、
−スタッキング底部とこのスタッキング底部に対して垂直なスタッキング壁とが設けられており、このスタッキング壁に、スタック棚内の送付物が接触しており、
−ほぼ水平なスタッキング方向でスタッキング壁に沿って摺動可能な、スタックを保持するスタック支持部が設けられており、
−スタッキング底部にスロットと、このスロット内に係合する、スタック支持部の突出部とが設けられている、扁平な送付物のためのスタック棚が記載されている。
【０００７】
さらに、イギリス国特許第１３０３１３５号明細書によれば、オンエッジで（hochkant）スタッキングすべき扁平な対象物のために、スタック支持部が下方へスタッキング底部平面内に旋回可能であるスタッキング装置が公知である。
【０００８】
スタックの移動による後続の受容に向けた、前記スタッキング装置からの送付物排出に際して、この場合に個別の送付物がスタッキング装置の終端部で下方へ滑り抜けることは、保証されていない。
【０００９】
本発明の課題は、起立した姿勢の扁平な送付物のスタックのためのスタック支持部を備えたスタック棚であって、送付物排出中およびスタックの移動中に送付物がスタック束（Stapelverbund）から離脱させられないようになっているスタック棚を提供することである。
【００１０】
本発明によれば前記課題は、請求項１の特徴部に記載したように構成されたスタック棚によって解決される。
【００１１】
スタック支持部は、当該スタック棚の終端部で、下方へスタッキング底部平面内に旋回可能に構成されている。スタッキング底部は、少なくとも部分的に成形されて構成されており、スタック支持部は、上方へ移動させられた、スタックの転倒を防止する状態で、スタッキング底部上を滑る面において底部成形部に噛み合うように構成されている。これにより、送付物が上方へ連行されることはなく、薄い送付物は移動に際して歯列に基づき、スタック支持部とスタッキング底部との間へ滑り込むことはあり得ない。
【００１２】
本発明の有利な実施態様は、従属請求項に記載してある。
【００１３】
スタック支持部の沈降は、種々異なる有利な方式で実施されることができる。
【００１４】
例えば、スタック支持部は、当該スタック棚の終端部で、スタッキング方向で下方へスタッキング底部の平面内に旋回可能に構成されることができる。この場合、スタック支持部は下方へ旋回させられた状態で、スタックが後続の載置面上へ中断なしに摺動させられ得るようにするために、架橋のためにスタッキング底部の機能を引き受ける。この代わりに、さらに、上方から下方へ移動させられるようになっている別の支持機構（これは本発明の対象ではない）が、スタック支持の任務を引き受ける。
【００１５】
スタック支持部がスタッキング底部の終端部で鉛直に移動可能であって、上方の縁部に、下方へ移動させられた状態でスタッキング底部に対してほぼ平行に向けられた部分を有しており、かつ該部分がスタッキング底部と後続の載置面との間のギャップを架橋するためのものであることも、有利である。この場合、スタッキング底部の、スタッキング方向に存在する終端縁部も、成形されて構成されており、スタック支持部の、鉛直な移動に際してスタッキング底部の成形された終端縁部に向けられた面は、下方への移動に際してスタッキング底部の成形された縁部に噛み合うように成形されている。互いに噛み合うこれらの成形部によって、送付物がスタッキング底部とスタック支持部との間へ滑り込むことはあり得ない。
【００１６】
スタック支持部の鉛直な移動は、有利には、スタッキング底部の平面内でスタッキング方向に対して垂直にスタック支持部が旋回することによって、実現されることができる。
【００１７】
スタッキング壁から送付物が滑って離れることを防止するために、スタッキング底部は有利には鋸歯成形部を有しており、この場合、急勾配の側面はスタッキング壁に向けられている。このことによって、急勾配の側面に送付物が引っ掛かった状態に保たれる。
【００１８】
下方へ移動させられた状態でスタック支持部の、スタッキング底部に対してほぼ平行に向けられた部分の表面が、スタッキング底部と同じ表面成形部を有していることも、有利である。
【００１９】
以下に、本発明の実施例を図面につき詳しく説明する。
【００２０】
図１によれば、送付物１は起立した姿勢で相前後して、カバーベルトシステム（Deckbandsystem）内で搬送ストラップ２間に緊締された状態で、区分機の、互いに並んで位置しているスタック棚５に沿って搬送される。各スタック棚５は、スタッキング底部７とこのスタッキング底部７に対して垂直なスタッキング壁６とから成っている。各スタック棚５の前には、送付物をその目的地住所に従って意図的にスルースゲート式に進入させない（ausschleusen）ようにするために、分岐器翼（Weichenfluegel）３を備えた分岐器装置が設けられている。ここでは詳しく説明しない自体公知のスタッキング装置４によって、送付物１は各スタック棚５内にスタック支持部８へ誘導されるか、または既に存在するスタック１１の最後の送付物へ誘導される。この場所では、送付物はスタッキング壁６において制動され、整列させられる。スタック支持部８はスタッキング壁６に沿って、スタッキング箇所に向けられたばね力に抗して摺動可能に、かつスタッキング底部平面内に旋回可能に案内されている。
【００２１】
スタッキング底部７は、図１に示してあるように、鋸歯形状に成形されて（profiliert）構成されている。この場合、鋸歯側面はスタッキング壁６に対して平行に延びており、急勾配の側面はスタッキング壁６に向けられている。スタック支持部８は、スタッキング底部７上を滑る下面に、同じ成形部（Profilierung）を有している（図４）。したがって、両成形部は互いに噛み合っている。これにより、薄くかつ曲がりやすい送付物１がスタッキング底部７とスタック支持部８との間へ滑り込むことはあり得ず、スタッキング壁６から跳ね返ることまたは滑って戻ることが、ほぼ回避される。
【００２２】
旋回継手のための十分なスペースを有するようにするために、スタッキング壁６は下方の前記領域に、後退させられた部分を有している。
【００２３】
スタッキングに際して、送付物の、スタッキング壁６に沿って方向付けられた運動成分は、スタック支持部８をばね力に抗してスタッキング箇所から離反移動させる力を生ぜしめる。スタック１１が相応に大きいせいでかまたは、スタッキング装置４とスタック支持部８とによって保持されたスタック１１が、スタッキング装置４の運動によって、このスタッキング装置４に結合されたプッシュロッド１０を用いて相応に移動させられたせいで、スタック１１がスタック支持部８と一緒にスタック棚５の終端部に到着している場合、スタック１１を後続の載置面１２上へ摺動させることができるようにするために、スタック支持部８の、下方への旋回が、図２および図３の通りに行われる。スタック１１の送付物１がスタッキング底部７と載置面１２との間のギャップ内に落ちることのないように、スタック支持部８はその上方の縁部に、下方の終端位置ではスタッキング底部７に対してほぼ平行に向けられた部分９を有している。この部分９は、スタック支持部８が完全に下方へ旋回させられた状態で、載設面１２に重なるように隙間を架橋する。スタッキング底部７とスタック支持部８との間へ薄い送付物１が滑り込む恐れもあるので、スタッキング底部８の、スタッキング方向に存在する終端縁部１５と、スタック支持部８の、旋回に際して前記終端縁部１５に向けられた面１６とは、互いに噛み合うように成形されている。この成形部も鋸歯状に構成されており、この場合、成形部はスタック支持部側が、旋回運動のために円弧状に延びている。
【００２４】
つまり、送付物１がスタッキング底部縁部とスタック支持部８との間に到達するためには、前記送付物１はその狭幅側で、前記鋸歯成形部内に延びていなければならないであろうが、このようなことは送付物の固有剛性に基づき起こらない。スタック支持部８がスタック棚５の終端部で下方へ旋回させられる前に、外部の支持機構（図示せず）がスタック支持部８の隣へ移動させられる。スタック支持部の、下方への旋回に際して、前記支持機構はスタック１１を引き取り、次いで、スタック１１のさらなる移動に際して、制御された状態でさらに走行する。スタック１１の全ての送付物１が載置面１２上に存在する場合、切欠１３を通って支持フィンガ１４が上方へ移動させられ、次いで、スタック１１を支持する。これにより、スタッキング装置４は再び初期位置にもたらされることができる。
【図面の簡単な説明】
【００２５】
【図１】旋回可能なスタック支持部によって保持された送付物スタックを備えたスタック棚の斜視図である。
【００２６】
【図２】スタック端部がスタック棚の終端部に位置していてスタック支持部が部分的に下方へ旋回させられているスタック棚の斜視図である。
【００２７】
【図３】スタック支持部が完全に下方へ旋回させられている、図２に対応するスタック棚の斜視図である。
【００２８】
【図４】スタック棚内のスタック支持部の拡大図である。
【００２９】
【図５】部分的に下方へ旋回させられたスタック支持部を備えたスタック棚終端部の、形状付与された面に注目した部分図である。
【図１】
2005529041.tif 000003
【図２】
2005529041.tif 000004
【図３】
2005529041.tif 000005
【図４】
2005529041.tif 000006
【図５】
2005529041.tif 000007
【国際調査報告】
2005529041.tif 000008
2005529041.tif 000009